(57)【要約】      （修正有）【課題】プラスチック製品または金属製品と異なる質感の石材装飾品を提供する。【解決手段】本体１の一面に結合された連接部材２と、連接部材に結合された固定部材３を含み、本体が石製の材質で、プラスチック製品や金属製品、木材製品とは異なる質感を提供し、固定部材は環状構造とすることができ、ブレスレットやネックレスのチャーム、あるいはトゥリングや指輪として使用でき、また固定部材をイヤリング留め具またはピアスポストとしてイヤリングとして使用してもよく、固定部材はさらに第１装飾部材４Ａを結合でき、手提げ袋の装飾やインテリア装飾など各種場所に応用でき、連接部材と固定部材は金属製品とすることができ、固定部材と第１装飾部材間は接着部材を有してもよく、接着部材中に少なくとも１つの第２装飾部材５Ａを含むことができ、第１装飾部材と第２装飾部材は乾燥植物を採用して製作できる。【選択図】図１
0003225586.tif 000002
【実用新案登録請求の範囲】
【請求項１】
石材装飾品であって、
本体と、
該本体の一面に結合された連接部材と、
該連接部材に結合された固定部材と、
を含むことを特徴とする、石材装飾品。
【請求項２】
前記固定部材にさらに第１装飾部材が連結されたことを特徴とする、請求項１に記載の石材装飾品。
【請求項３】
前記固定部材と該第１装飾部材間に接着部材を有することを特徴とする、請求項２に記載の石材装飾品。
【請求項４】
前記接着部材が樹脂または２液混合型接着剤で製作されることを特徴とする、請求項３に記載の石材装飾品。
【請求項５】
前記接着部材が少なくとも１つの第２装飾部材を含むことを特徴とする、請求項３に記載の石材装飾品。
【請求項６】
前記連接部材がはんだ付けで該固定部材に結合されることを特徴とする、請求項１に記載の石材装飾品。
【請求項７】
前記固定部材が環状構造であることを特徴とする、請求項１に記載の石材装飾品。
【請求項８】
前記固定部材がピアスポストまたはイヤリング留め具のいずれかであることを特徴とする、請求項１に記載の石材装飾品。
【請求項９】
前記本体が石製の飾りであることを特徴とする、請求項１に記載の石材装飾品。
【考案の詳細な説明】
【技術分野】
【０００１】
本考案は装飾品に関し、特に、石を本体として使用し、連接部材と固定部材を備え、各種場面に応用することができる、石材装飾品に関する。
【背景技術】
【０００２】
装飾品は人体または個人の持ち物（リュックサックや財布、ショルダーバッグ、手提げ袋、ハンドバッグ、斜め掛けバッグ、携帯電話等)上に装着する飾りであり、多くの人が自分を修飾して他者に対するイメージを作ったり、個人の独特のスタイルと美感を表現したりするために装飾品を使用している。各種スタイルの装飾品も次々と生み出されている。
【０００３】
しかしながら、質感のよい装飾品の材料はコストが高いため、ほとんどの人は比較的安価なプラスチック製品または使用材料が比較的少ない薄い金属の装飾品を選択する。しかし、プラスチック製品は人の注目を集める質感はほとんどなく、薄い金属の装飾品は人の肌に触れたとき冷たい触感を与え、触感上の温もりに欠ける。このため、低コストで質感の高い装飾品をいかに製造するかが、装飾品製造業者の克服すべき課題となっている。
【考案の概要】
【考案が解決しようとする課題】
【０００４】
本考案の主な目的は、石材を採用し、プラスチック製品または金属製品と異なる質感を提供するとともに、各種場所に応用して装飾として用いることができる、石材装飾品を提供することにある。
【課題を解決するための手段】
【０００５】
以下この考案について説明する。上述の目的を達するため、本考案の石材装飾品は、本体と、該本体の一面に結合された連接部材と、該連接部材に結合された固定部材を含み、該本体が石製の材質であり、プラスチック製品や金属製品、木材製品とは異なる質感を提供し、該固定部材は環状構造とすることができ、本考案をブレスレットやネックレスのチャームとして使用することができ、また該固定部材をイヤリング留め具またはピアスポストとして本考案をイヤリングとして使用してもよく、該固定部材はさらに第１装飾部材を結合でき、本考案は手提げ袋の装飾やインテリア装飾など各種場所に応用することができ、該第１装飾部材は例えばドライフラワーで成る乾燥植物とし、さらに樹脂を加えて強化することができ、該固定部材と該第１装飾部材間は接着部材を有することができ、該接着部材は樹脂または２液混合型接着剤としてもよく、該接着部材はさらに少なくとも１つの第２装飾部材を含むことができ、該第２装飾部材も乾燥植物で製作することができる。
【０００６】
請求項１に記載する本考案の石材装飾品は、本体と、該本体の一面に結合された連接部材と、該連接部材に結合された固定部材を含む。
【０００７】
請求項２に記載する石材装飾品は、請求項１における固定部材にさらに第１装飾部材が連結される。
【０００８】
請求項３に記載する石材装飾品は、請求項２における固定部材と該第１装飾部材間に接着部材を有する。
【０００９】
請求項４に記載する石材装飾品は、請求項３における接着部材が樹脂または２液混合型接着剤で製作される。
【００１０】
請求項５に記載する石材装飾品は、請求項３における接着部材が少なくとも１つの第２装飾部材を含む。
【００１１】
請求項６に記載する石材装飾品は、請求項１における連接部材がはんだ付けで該固定部材に結合される。
【００１２】
請求項７に記載する石材装飾品は、請求項１における固定部材が環状構造である。
【００１３】
請求項８に記載する石材装飾品は、請求項１における固定部材がピアスポストまたはイヤリング留め具のいずれかである。
【００１４】
請求項９に記載する石材装飾品は、請求項１における本体が石製の飾りである。
【図面の簡単な説明】
【００１５】
【図１】本考案の実施例１の立体図である。
【図２】図１の立体分解図である。
【図３】本考案の実施例２の立体図である。
【図４】本考案の実施例３の立体図である。
【考案を実施するための形態】
【実施例１】
【００１６】
図１から図２の本考案の実施例１に示すように、本考案の石材装飾品は、本体１と、連接部材２と、固定部材３を含む。本体１は本実施例において四角錐の大理石である。連接部材２は本体１の一面に結合され、本体１と固定部材３の間に良好な結合を具備させる。本実施例において連接部材２は四角錐の底面に結合される。固定部材３は連接部材２に結合され、本実施例において固定部材３は棒状構造である。固定部材３にはさらに第１装飾部材４Ａが結合され、第１装飾部材４は本実施例において三角形の片状構造であり、第１装飾部材４Ａと固定部材３間は接着部材５を使用して粘着することができる。本実施例において接着部材５は樹脂を注入して成るが、これに限らず、接着部材５は２液混合型接着剤等の接着剤としてもよい。接着部材５内に少なくとも１つの第２装飾部材５Ａを含むことができ、第２装飾部材５Ａはドライフラワーなどの乾燥植物で製作することができる。透光性のある接着部材５を使用することで、使用者は接着部材５内に含まれる第２装飾部材５Ａを見ることができ、これにより本考案により変化をもたせることができる。第１装飾部材４Ａ及び第２装飾部材５Ａにより、本考案はショルダーバッグや手提げかばん、ハンドバッグ、斜め掛けバッグなどの飾りや室内装飾に飾りなどとして、各種場所の装飾に応用することができる。連接部材２と固定部材３は金属材質とすることができ、連接部材２と固定部材３は、はんだ付け、金属接合、木の接合等の方式で結合することができる。
【００１７】
本体１は石材の装飾品とすることができ、本実施例においては大理石であり、花崗岩、玄武岩、黒曜石等としてもよく、プラスチック製品、金属製品または木製品とは異なる質感を提供する。また、三角錐や立方体など様々な形状にカットしてもよく、本実施例中の四角錐に限らない。
【００１８】
人体に使用するアクセサリーとする場合、第１装飾部材４Ａを使用しなくてもよく、例えば固定部材３は環状構造として本考案をブレスレットやネックレスのチャーム、またはトゥリングや指輪として使用することができる。連接部材２は異なるタイプのアクセサリーを製作するのに伴って形式を変え、例えば指輪とするとき、連接部材２はリング台とすることができる。固定部材３はイヤリング留め具またはピアスポストとし、本考案をイヤリングとして使用することもできる。このため、固定部材３は各種固定装置とすることができる。固定部材３は第１装飾部材４Ａに直接結合でき、例えばはんだ付け、金属接合、木の接合等の方式で結合することができ、接着部材５を使用しなくともよい。
【００１９】
本考案は本体１に石材を使用することで、プラスチック製品や金属製品と異なる温もりを提供でき、消費者の購入意欲をかきたてることができる。異なる固定部材３に変える、または第１装飾部材４Ａを追加することで、本考案は各種人体用アクセサリーや内装用装飾品として設置することができる。第１装飾部材４Ａは金属材質とすることができ、本体１の石材と互いに補完し合うデザインとして組み合わせることができる。例えば大理石で製作された本体１に銀色の金属製の第１装飾部材４Ａを組み合わせ、同じ冷色系の組み合わせで消費者の注目を集めることができる。第１装飾部材４Ａは本体１と異なる色系の石材を採用して視覚的コントラストを形成してもよい。
【実施例２】
【００２０】
図３の本考案の実施例２において、固定部材３は環状構造であり、連接部材２はリング台である。これにより本考案の実施例２は指輪またはトゥリングとして使用することができる。
【実施例３】
【００２１】
図４の本考案の実施例３において、固定部材３はやはり環状構造であり、連接部材２が本体１の一面に結合され、本体１をブレスレット６のチャームとすることができる。
【符号の説明】
【００２２】
１                本体
２                連接部材
３                固定部材
４Ａ             第１装飾部材
５                接着部材
５Ａ             第２装飾部材
６                ブレスレット
【図１】
0003225586.tif 000003
【図２】
0003225586.tif 000004
【図３】
0003225586.tif 000005
【図４】
0003225586.tif 000006